(57)【要約】【課題】身につけた時の吸汗性と消臭、抗菌防ダニ効果を具え、且つ健康機能も具える健康サポーターの構造を提供する。      【解決手段】健康サポーターの構造は、弾性を具えた材質で、且つ装着部を具えた装着物を使用者の適所に設置する本体、及び本体と結合した内部充填層を含む。この内部充填層には複数個の収納部があり、各収納部内に炭顆粒、チタン、ゲルマニウム系材料、電気石、磁石及び人工骨等の充填材を設置する。これにより、使用者が着用すると、内部充填層の炭顆粒が汗を吸って消臭し、抗菌、防ダニ効果を得る。また各充填材が発した遠赤外線がサポーターを着用した使用者に緊張した筋肉を解して運動機能を高める。更に血液循環及び新陳代謝を促進して血行をよくし、細胞の酸素供給能力を高め、細胞を活性化して身体機能を回復する効果を具える。【選択図】図１
0003128035.tif 000002
【実用新案登録請求の範囲】
【請求項１】
本体と内部充填層から構成された健康サポーターの構造において、
弾性材質で、且つ装着部を具え、使用者の適所に設置する本体と、
本体に結合し、複数の収納部を具え、その収納部内に木炭顆粒、チタン、ゲルマニウム材
、電気石、磁石及び人工骨等の充填材を設置する内部充填層を含むことを特徴とする健康
サポーターの構造。
【請求項２】
前記本体は、環状で、中央箇所に装着部を具えることを特徴とする請求項１記載の健康
サポーターの構造。
【請求項３】
前記本体は、その両端に各々接合部を具え、その接合部を合わせると、環状になり、中
央箇所に装着が形成されることを特徴とする請求項１記載の健康サポーターの構造。
【請求項４】
前記本体は、その両端の接合部が面ファスナーであることを特徴とする請求項３記載の
健康サポーターの構造。
【請求項５】
前記本体は、必要に応じて、ヘッドバンド、アイマスク、マスク、頸サポーター、肩サ
ポーター、腰サポーター、腕サポーター、肘サポーター、膝サポーター、踝サポーター、
及びブラジャー等の人体に使用するサポーターに成形されることを特徴とする請求項１記
載の健康サポーターの構造。
【請求項６】
前記木炭顆粒は、木炭、竹炭、備長炭とすることを特徴とする請求項１記載の健康サポ
ーターの構造。
【考案の詳細な説明】
【技術分野】
【０００１】
本考案は、健康サポーターの構造に関するもので、特に、身につけた時に吸汗性と消臭
、抗菌防ダニ効果を具え、且つ緊張した筋肉を緩めて運動機能を高め、更に、血液循環及
び新陳代謝を促進する効果を具え、血行を良くして細胞に酸素を送る能力を高めて細胞を
活性化して身体機能を回復する効果を具えるものである。
【背景技術】
【０００２】
一般に、公知のサポーターは、弾力伸縮性を具えた布質の環状ベルト帯であり（特許文
献１，２）、そのサポーターの中央には装着部を具える。そして、腕サポーター、膝サポ
ーター、肘サポーター、踝（くるぶし）サポーター、ヘッドベルト及び顎サポーター等サ
ポーターを成形する。これらにより、弾力伸縮性を具えた装着物を使用者の手腕、膝、肘
、踝、頭部及び頸部に使用し、使用者の装着物を付けた部位を怪我から守る。
【０００３】
【特許文献１】日本実用新案登録第３０５０１２５号公報
【特許文献２】日本実用新案登録第３１１１４６４号公報
【考案の開示】
【考案が解決しようとする課題】
【０００４】
解決しようとする問題点は、上述の公知のサポーターは、使用者の装着物部位を怪我か
ら防止する効果を具えるが、このサポーターは弾力伸縮性を具えた布質の環状ベルト帯で
あるだけなので、使用時に使用者が流した汗は、このサポーターが吸い、そしてサポータ
ー上に残留する。これを使用し続けると、長期に汗を吸込んで湿り、このサポーターは臭
くなるだけでなく、多くの細菌を発生させる。更に公知のサポーターは使用者の装着物部
位を怪我から守る機能を具えるだけで、その他の健康機能は具えていない。故に一般の公
知のサポーター使用時の要求に応えられない点である。
【課題を解決するための手段】
【０００５】
本考案は、弾性を具えた材質で、且つ装着部を具えた装着物を使用者の適所に設置する
本体、及び本体と結合した内部充填層を含み、この内部充填層には複数個の収納部があり
、各収納部内に木炭顆粒、チタン、ゲルマニウム系材料、電気石、磁石及び人工骨等の充
填材を設置する。これにより、使用者が着用すると、内部充填層の木炭顆粒が汗を吸って
消臭し、抗菌、防ダニ効果を得る。また各充填材が発した遠赤外線がサポーターを着用し
た使用者に緊張した筋肉を解して運動機能を高める。更に血液循環及び新陳代謝を促進し
て血行をよくし、細胞の酸素供給能力を高め、細胞を活性化して身体機能を回復する効果
を具えることを最も主な特徴とする。
【０００６】
すなわち、本考案は、下記のとおりである。
（１）本体と内部充填層から構成された健康サポーターの構造において、弾性材質で、且
つ装着部を具え、使用者の適所に設置する本体と、本体に結合し、複数の収納部を具え、
その収納部内に木炭顆粒、チタン、ゲルマニウム材、電気石、磁石及び人工骨等の充填材
を設置する内部充填層を含むことを特徴とする健康サポーターの構造。
【０００７】
（２）前記本体は、環状で、中央箇所に装着部を具えることを特徴とする上記（１）の健
康サポーターの構造。
【０００８】
（３）前記本体は、その両端に各々接合部を具え、その接合部を合わせると、環状になり
、中央箇所に装着が形成されることを特徴とする上記（１）の健康サポーターの構造。
【０００９】
（４）前記本体は、その両端の接合部が面ファスナーであることを特徴とする上記（３）
の健康サポーターの構造。
【００１０】
（５）前記本体は、必要に応じて、ヘッドバンド、アイマスク、マスク、頸サポーター、
肩サポーター、腰サポーター、腕サポーター、肘サポーター、膝サポーター、踝サポータ
ー、及びブラジャー等の人体に使用するサポーターに成形されることを特徴とする上記（
１）の健康サポーターの構造。
【００１１】
（６）前記木炭顆粒は、木炭、竹炭、備長炭とすることを特徴とする上記（１）の健康サ
ポーターの構造。
【考案の効果】
【００１２】
本考案の健康サポーターの構造は、身につけた時に吸汗性と消臭、抗菌防ダニ効果を具
え、且つ健康機能も具えるという利点がある。
【考案を実施するための最良の形態】
【００１３】
本考案の主な目的は、使用者が着用すると、内部充填層の木炭顆粒が汗を吸って消臭し
、抗菌、防ダニ効果を得る。また、チタン、ゲルマニウム系材料、電気石、磁石及び人工
骨等の充填材が遠赤外線を発してサポーターを使用した使用者がリラックスしたり、緊張
した筋肉を解したりして運動機能を高める。更に、血液循環及び新陳代謝を促進して血行
をよくし、細胞の酸素供給能力を高め、細胞を活性化して身体機能を回復する効果を具え
る。
【００１４】
上述の目的のため、本考案の健康サポーターの構造は、弾性を具えた材質で、且つ装着
部を具えた装着物を使用者の適所に設置する本体、及び本体と結合した内部充填層で、こ
の内部充填層には複数個の袋状、空洞状等の収納部があり、各収納部内に木炭顆粒、チタ
ン、ゲルマニウム系材料、電気石、磁石及び人工骨等の充填材を設置する。
【実施例】
【００１５】
図１及び図２は、本考案の立体外観指示図及び本考案の断面状態指示図である。図に示
すとおり、本考案は一種の健康サポーターの構造で、本体１及び内部充填層２から構成さ
れる。装着時、汗を吸収して消臭し、抗菌防ダニ及び筋肉を締めたり緩めたりして運動機
能を高める。更に血液循環、新陳代謝を促進する効果を具え、血行を良くして細胞に酸素
を供給し、細胞を活性化し、身体機能を回復する。
【００１６】
上述の本体１は弾性布材で、且つ装着部１１を具え、体の適所に装着物を着用する。内
部充填層２は、可動もしくは固定方式で本体１の内部に設置し、別に可動もしくは固定方
式で本体１の外側に設置してもよい。また内部充填層２には２個以上１０程度の複数の空
洞状の収納部２１を具え、各収納部２１内には木炭顆粒２２、チタン系材料２３、ゲルマ
ニウム系材料２４、電気石２５、磁石２６及び人工骨２７．．．等充填材を入れる。この
チタン、ゲルマニウム系材料は顆粒状で、そのうち木炭顆粒２２は木炭、竹炭もしくは備
長炭とする。またチタン系材料２３は、金属チタン、チタン化合物、またはチタン合金と
する。ゲルマニウム系材料２４は、ゲルマニウム金属、ゲルマニウム化合物、またはゲル
マニウムを含む化合物形態のゲルマニウム鉱物である。このようにして、上述の構造によ
り、新しい健康サポーター構造が構成される。
［実施例１〜５］
【００１７】
図３、４、５、６及び図７に示すのは、本考案の第一実施例指示図、本考案の第二実施
例指示図、本考案の第三実施例指示図、本考案の第四実施例指示図及び本考案の第五実施
例指示図である。図に示すとおりを使用する時、本体１は環状に作り、その本体１の中央
箇所に装着部１１を成形する。本体１が腕サポーター１０、肘サポーター１０ａ、膝サポ
ーター１０ｂ、踝サポーター１０ｃ及びヘッドベルト１０ｄ等の人体に使用するサポータ
ーが形成される。
［実施例６〜実施例１１］
【００１８】
図８、９、１０、１１、１２及び図１３は、本考案の第六実施例指示図、本考案の第七
実施例指示図、本考案の第八実施例指示図、本考案の第九実施例指示図、本考案の第十実
施例指示図及び本考案の第十一実施例指示図である。図に示すとおり、本考案を使用する
時、本体１の二端にそれぞれ接合部１２、１３を設置する。この接合部１２、１３は、面
ファスナーもしくはホックとし、更にこの接合部１２、１３を合わせると、本体１が環状
に形成され、中央箇所が装着部１１となる。そして、本体１はアイマスク１０ｅ、マスク
１０ｆ、顎サポーター１０ｇ、肩サポーター１０ｈ、腰サポーター１０ｉ及びブラジャー
１０ｊ等の人体に使用するサポーターが成形される。
【００１９】
図１４は、本考案の使用状態説明図である。図に示すとおり、人に使用する時、上述の
本体１によって作られた腕サポーター１０、肘サポーター１０ａ、膝サポーター１０ｂ、
踝サポーター１０ｃ、ヘッドベルト１０ｄ、アイマスク１０ｅ、マスク１０ｆ、顎サポー
ター１０ｇ、肩サポーター１０ｈ、腰サポーター１０ｉ及びブラジャー１０ｊは各々もし
くは同時に人の適する部位に装着する（そのうちブラジャー１０ｊは図示していない）。
また、内部充填層２内の木炭顆粒２２が本体１を装着した時、汗を吸い、消臭、抗菌、防
ダニ効果を得る。同時に同じ理由で、チタン系材料２３、ゲルマニウム系材料２４、電気
石２５、磁石２６及び人工骨２７等の充填材も体の電流を安定させ、筋肉の緊張をほぐす
。これによって精神的にリラックスし、筋肉もほぐれ、運動機能を高める。
【００２０】
ゲルマニウムは、人の免疫システムを強化し、且つ人体細胞内に酸素分子を送って体内
の悪い毒素を排除し、血液循環及び新陳代謝を促進し、血行をよくして細胞に酸素を送る
能力を高め、細胞を活性化させて、老化した器官を若返らせ、身体機能を高め、病気の原
因を取り除き、手や肩の疲労を解す。使用者が腕サポーター１０、肘サポーター１０ａ、
膝サポーター１０ｂ、踝サポーター１０ｃ、ヘッドベルト１０ｄ、アイマスク１０ｅ、マ
スク１０ｆ、顎サポーター１０ｇ、肩サポーター１０ｈ、腰サポーター１０ｉ及びブラジ
ャー１０ｊ等サポーターを装着する時，良好な健康効果を得る。
【００２１】
本考案の健康サポーターの構造は、使用者が装着する時、内部充填層の木炭顆粒が汗を
吸って消臭し、抗菌防ダニ効果があり、チタン、ゲルマニウム系材料、電気石、磁石及び
人工骨等の充填材によって発した遠赤外線により、使用者がこのサポーターを装着するこ
とにより、リラックスし、緊張した筋肉を解し、運動機能を高める。更に血液循環及び新
陳代謝を促進する効果を具え、血行をよくして細胞への酸素供給能力を高め、細胞を活性
化させて身体機能を回復させる効果がある。本考案はより進歩した、より実用的な、より
使用者のニーズに応えることにより、本考案を申請するものである。
【００２２】
以上は、本考案の実施例の一つにすぎず、本考案の範囲を限定するものではない。故に
本考案の範囲及び説明内容に簡単な変化、修飾を施したものは、すべて本考案の範囲とす
る
【図面の簡単な説明】
【００２３】
【図１】本考案の立体外観図である。
【図２】本考案の断面状態指示図である。
【図３】本考案の第一実施例である。
【図４】本考案の第二実施例である。
【図５】本考案の第三実施例である。
【図６】本考案の第四実施例である。
【図７】本考案の第五実施例である。
【図８】本考案の第六実施例である。
【図９】本考案の第七実施例である。
【図１０】本考案の第八実施例である。
【図１１】本考案の第九実施例である。
【図１２】本考案の第十実施例である。
【図１３】本考案の第十一実施例である。
【図１４】本考案の使用状態指示図である。
【符号の説明】
【００２４】
１          本体
１０        腕サポーター
１０ａ      肘サポーター
１０ｂ      膝サポーター
１０ｃ      踝サポーター
１０ｄ      ヘッドベルト
１０ｅ      アイマスク
１０ｆ      マスク
１０ｇ      顎サポーター
１０ｈ      肩サポーター
１０ｉ      腰サポーター
１０ｊ      ブラジャー
１１        装着部
１２        接合部
１３        接合部
２          内部充填層
２１        収納部
２２        木炭顆粒
２３        チタン、ゲルマニウム系材料
２４        チタン、ゲルマニウム系材料
２５        電気石
２６        磁石
２７        人工骨
【図１】
0003128035.tif 000003
【図２】
0003128035.tif 000004
【図３】
0003128035.tif 000005
【図４】
0003128035.tif 000006
【図５】
0003128035.tif 000007
【図６】
0003128035.tif 000008
【図７】
0003128035.tif 000009
【図８】
0003128035.tif 000010
【図９】
0003128035.tif 000011
【図１０】
0003128035.tif 000012
【図１１】
0003128035.tif 000013
【図１２】
0003128035.tif 000014
【図１３】
0003128035.tif 000015
【図１４】
0003128035.tif 000016